(57)【要約】【課題】  従来の遊技機における問題を解消し、戻り球を遊技領域の入賞の可能性の高い方向へ再び導くことができる球戻り防止装置を備えた遊技機の提供を課題とする。【解決手段】  発射装置により発射された遊技球Ｑを誘導領域１３の飛び出し口１４から遊技領域２に飛び出させて遊技領域２での遊技に供すると共に、前記遊技領域２に一旦飛び出した遊技球Ｑが前記誘導領域１３に逆戻りするのを防止するための球戻り防止装置１００を前記飛び出し口１４付近に備えた遊技機であって、前記球戻り防止装置１００は、前記飛び出し口１４に配置されて遊技領域２から飛び出し口１４へ逆戻りしてくる遊技球Ｑを制止すると共に自らも動作して遊技球Ｑを弾き返す戻り球制止弾発片１１１を備えている。【選択図】      図１
2006136391.tif 000002
【特許請求の範囲】
【請求項１】
発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための球戻り防止装置を前記飛び出し口付近に備えた遊技機であって、前記球戻り防止装置は、前記飛び出し口に配置されて遊技領域から飛び出し口へ逆戻りしてくる遊技球を制止すると共に自らも動作して遊技球を弾き返す戻り球制止弾発片を備えたことを特徴とする球戻り防止装置を備えた遊技機。
【請求項２】
遊技球が飛び出し口へ逆戻りしてきたのを検出する逆戻り検出手段と、該逆戻り検出手段による検出に基づいて瞬間的に変位して前記戻り球制止弾発片を動作させる瞬間変位手段を有することを特徴とする請求項１に記載の球戻り防止装置を備えた遊技機。
【請求項３】
瞬間変位手段は圧電素子を有し、該圧電素子の逆圧電効果を利用して戻り球制止弾発片を動作させることを特徴とする請求項２に記載の球戻り防止装置を備えた遊技機。
【発明の詳細な説明】
【技術分野】
【０００１】
本発明は遊技領域に一旦飛び出した遊技球が飛び出し口から誘導領域に逆戻りするのを防止する球戻り防止装置を備えた遊技機に関する。
【背景技術】
【０００２】
従来、誘導領域を介して遊技領域へ打ち込まれた遊技球が誘導領域へ逆行する、いわゆる球の戻りを防止する技術として、戻り球を阻止する阻止部の動きを誘導領域を形成する内レールの先端部で制止制御するもの（特許文献１の第３頁、図５参照）、戻り球による衝撃を内、外側レールの２点で坑するもの（特許文献２の第３頁、図１参照）、更に金属製の弾性帯板で成形された球戻り防止装置により戻り球を跳ね返すもの（特許文献３の第３頁、図１、図２参照）が提案されている。
【特許文献１】特開２０００−２２５２３６号公報
【特許文献２】特開２００３−１５９３９１号公報
【特許文献３】特開２００３−３３９９９６号公報
【発明の開示】
【発明が解決しようとする課題】
【０００３】
そもそもパチンコ機の発射装置により発射された遊技球の勢いは、一般的に誘導領域を介して遊技領域に飛び出す状況において強く、戻り球として遊技領域から誘導領域へ逆行する状況において弱まり、更に球戻り防止装置により逆戻りを防止（阻止）された時点において最も弱くなる。従って逆戻りを阻止された時点における遊技球が、再び遊技領域の中央に移動するためには、該遊技球を弾発する作用を及ぼす等、遊技球を積極的に弾き返すような何らかの手段が必要となるものであった。
【０００４】
しかし上記した従来技術は、戻り球を積極的に遊技領域へ向かって弾発する特別な構成を備えたものではなかった。従って、このような構成によって戻り球になし得る作用は、単に逆戻りを防止、阻止するのみであって、概ね逆戻りを阻止された遊技球は、その位置から直下にあって入賞の可能性の比較的低い領域に向けて流下せざるを得ないものであった。よって遊技者は戻り球となった遊技球に対しては入賞への期待を捨てざるを得ないため、興趣の低下を招くという問題があった。
因みに上記特許文献３の技術は、戻り球を跳ね返す作用を確かになすものではあるが、これは球戻り防止装置の防止片部を、通常時には戻り球を阻止する姿勢を維持しつつ、誘導領域から遊技領域へ打ち込まれる遊技球の通過の障害とならないようにする為に、弾性帯板で形成したことに伴う作用効果に過ぎないものである。実際には、この特許文献３の発明においても、戻り球を積極的に遊技領域へ弾発する構成を備えたものにはあたらない。
【０００５】
そこで本発明は上記従来の遊技機の球戻り防止装置における問題を解消し、戻り球を遊技領域の入賞の可能性の高い方向へ再び導くことができる球戻り防止装置を備えた遊技機の提供を課題とする。
【課題を解決するための手段】
【０００６】
上記課題を達成するため本発明の球戻り防止装置を備えた遊技機は、発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための球戻り防止装置を前記飛び出し口付近に備えた遊技機であって、前記球戻り防止装置は、前記飛び出し口に配置されて遊技領域から飛び出し口へ逆戻りしてくる遊技球を制止すると共に自らも動作して遊技球を弾き返す戻り球制止弾発片を備えたことを第１の特徴としている。
また本発明の球戻り防止装置を備えた遊技機は、上記第１の特徴に加えて、遊技球が飛び出し口へ逆戻りしてきたのを検出する逆戻り検出手段と、該逆戻り検出手段による検出に基づいて瞬間的に変位して前記戻り球制止弾発片を動作させる瞬間変位手段を有することを第２の特徴としている。
また本発明の球戻り防止装置を備えた遊技機は、上記第２の特徴に加えて、瞬間変位手段は圧電素子を有し、該圧電素子の逆圧電効果を利用して戻り球制止弾発片を動作させることを第３の特徴としている。
【発明の効果】
【０００７】
請求項１に記載の球戻り防止装置を備えた遊技機によれば、誘導領域の飛び出し口から一旦遊技領域に飛び出した遊技球が再び飛び出し口へ逆戻りしてくると、球戻り防止装置に備えられた戻り球制止弾発片が遊技球を制止すると共に、更に遊技球を弾き返す。
よって請求項１に記載の球戻り防止装置を備えた遊技機によれば、遊技領域から飛び出し口に逆戻りしてくる遊技球を、戻り球制止弾発片によって、誘導領域に逆戻りさせることなく、再び遊技領域方向へ大きく弾発することができ、遊技領域の入賞の可能性の高い領域へ再び導くことができる。
【０００８】
また請求項２に記載の球戻り防止装置を備えた遊技機によれば、上記請求項１に記載の構成による効果に加えて、遊技球が飛び出し口へ逆戻りしてきたのを検出する逆戻り検出手段と、該逆戻り検出手段による検出に基づいて瞬間的に変位して前記戻り球制止弾発片を動作させる瞬間変位手段を有することにより、遊技球が逆戻りしてくると、これを検出手段が検出して瞬間変位手段を作動させる。これによって瞬間変位手段が瞬間的に変位し、これによって戻り球制止弾発片が動作され、逆戻りしてきた遊技球を弾発する。
よって請求項２に記載の球戻り防止装置を備えた遊技機によれば、逆戻りしてきた遊技球を逆戻り検出手段により確実に検出して、素早く戻り球制止弾発片を動作させて遊技球を弾発させることができ、飛び出し口に逆戻りしてきた遊技球をタイミングよく且つ効果的に遊技領域の入賞の可能性の高い領域へ導くことができる。
【０００９】
また請求項３に記載の球戻り防止装置を備えた遊技機によれば、上記請求項２に記載の構成による効果に加えて、瞬間変位手段は圧電素子を有し、該圧電素子の逆圧電効果を利用して戻り球制止弾発片を動作させることしているので、圧電素子の瞬間的な変形を利用して戻り球制止弾発片を素早く動作させることができ、逆戻りしてきた遊技球をタイミングよく且つ効果的に遊技領域の入賞の可能性の高い領域へ導くことができる。
【発明を実施するための最良の形態】
【００１０】
以下の図面を参照して、本発明の第１の実施形態を説明する。
図１〜図７は本発明の第１の実施形態の遊技機に係り、図１はパチンコ遊技機の遊技盤の正面図、図２と図３はパチンコ遊技機の球戻り防止装置の全体を示す斜視図で、図２は逆戻りしてきた遊技球を制止した状態を示し、図３は逆戻りしてきた遊技球を弾発した状態を示す。図４は球戻り防止装置の分解斜視図である。図５〜図７は遊技盤の球戻り防止装置付近の拡大図で、図５は遊技球が逆戻り途上にある状態を示し、図６は逆戻りしてきた遊技球を戻り球制止弾発片が制止した状態を示し、図７は逆戻りしてきた遊技球を戻り球制止弾発片が弾き返した状態を示す。
【００１１】
先ず図１を参照して、パチンコ遊技機の遊技盤１の中央には、遊技領域２が外レール３と内レール４を壁として外から区切られて略円形状の領域に構成されている。遊技領域２の中央付近には図柄等を変動表示することができるセンターケース５が設けられ、その下方には前記図柄等の変動を開始させる契機を与える始動入賞装置６が設けられている。遊技球が通過するゲート７、普通入賞装置８、大入賞装置９、アウト口１０、風車１１、一部だけ図示した釘１２等の遊技要素が設けられている。
図示しない発射装置により発射された遊技球Ｑは、外レール３と内レール４との間に構成された誘導領域１３を通って、飛び出し口１４から遊技領域２に飛び出し、遊技に供される。球技球Ｑは遊技領域２内をその上部から下方へと遊技盤１面上を流下し、始動入賞装置６や普通入賞装置８、大入賞装置９に入賞し、入賞を逃した遊技球Ｑはアウト口１０に入る。入賞装置６、８、９に入賞すると、遊技球の払い出し等の所定の報償を受けることができる。
前記遊技盤１の左右両肩部には遊技領域２の外側に枠ランプ１５が設けられている。
【００１２】
遊技領域２の左斜め上部の前記飛び出し口１４付近に、本発明に係る球戻り防止装置１００を配置している。
図２〜図７も参照して、球戻り防止装置１００は、戻り球制止弾発片１１１を備えた揺動体１１０と、該揺動体１１０を介して前記戻り球制止弾発片１１１を動作させる瞬間変位手段１２０と、遊技球Ｑが飛び出し口１４に逆戻りしてきたのを検出する逆戻り検出手段１３０とを有する。
【００１３】
前記揺動体１１０は、戻り球制止弾発片１１１の他、戻り球制止弾発片１１１の基端側を位置決め固定して取り付ける基体部１１２を有する。
前記戻り球制止弾発片１１１は、飛び出し口１４に配される部材で、金属製等の弾性帯板片で形成され、基端側を片持ち固定され、上端側はフリーとなっている。戻り球制止弾発片１１１は飛び出し口１４に配された際に、飛び出し口１４に対して適切な位置を確保できるように、途中で適当に曲げ調整することができる。
戻り球制止弾発片１１１の先端部は、飛び出し口１４の位置に対応する外レール３に形成された外向き段部３ａに達して当接することができる長さに構成しているが、通常時においては戻り球制止弾発片１１１は前記外レール３の外向き段部３ａには接することなく、少し離れた状態に保持される。
【００１４】
基体部１１２は、前記戻り球制止弾発片１１１の取り付け姿勢を定めるガイド溝１１２ａと軸孔１１２ｂとを形成した軸受部１１２ｃと、基体部１１２に取り付けられた前記戻り球制止弾発片１１１を通常時において起立姿勢に維持するための錘部１１２ｄとを有する。そして前記軸受部１１２ｃの軸孔１１２ｂに軸釘１１２ｅが差し込まれて遊技盤１に固定されることで、該軸釘１１２ｅを中心に揺動体１１０が揺動可能に保持される。また軸受部１１２ｃは、軸孔１１２ｂの中心に対して断面が偏心形状に形成される。
【００１５】
前記戻り球制止弾発片１１１を動作させる瞬間変位手段１２０は、圧電素子１２１、伝達部材１２２、バネ１２３、進退部材１２４を主たる構成要素とし、他にハウジング部１２５、摺動ガイド部材１２６を有している。
前記ハウジング部１２５は、遊技盤１へ取り付けるための取付孔を有するフランジ１２５ａを備えた本体１２５ｂと、上面に切欠１２５ｃを設けたカバー１２５ｄとからなる。
前記圧電素子１２１をハウジング部１２５内に収めて、圧電素子１２１の下面をハウジング部１２５内に床面に接着等で固定する。その圧電素子１２１の上面に伝達部材１２２の基部１２２ａを接触状態に配置し、伝達部材１２２の突出軸部１２２ｂにバネ１２３を嵌めた状態で、前記カバー１２５ｄを被せて、前記伝達部材１２２の突出軸部１２２ｂの上部がカバー１２５ｄの切欠１２５ｃから上方へ突出した状態にする。このとき前記バネ１２３はカバー１２５ｄと前記伝達部材１２２の基部１２２ａとの間に介在され、伝達部材１２２を圧電素子１２１に接触せしめている。
前記ハウジング部１２５から突出した伝達部材１２２の突出軸部１２２ｂは、前記進退部材１２４の固定用基部１２４ａと一体に固定される。
進退部材１２４は、通常時は下方に後退位置にあり、これが上方に進出することで、前記揺動体１１０の基体部１１２の軸受部１１２ｃに当接し、これを回動させる。即ち、図６に示す逆戻り検出時において、軸受部１１２ｃの左側端部と内レール４との間隙は、進退部材１２４の厚み寸法より小さくなるように設定されている。当該間隙は、進退部材１２４が上方に進出することによって、進退部材１２４の厚み寸法に拡大される。進退部材１２４が、上記したように断面偏心形状に形成された軸受部１１２ｃの左側端部を右方向に押すことによって、軸受部１１２ｃは軸釘１１２ｅを中心にして時計方向に回動するものである。
軸受部１１２ｃの回動により基体部１１２と共に戻り球制止弾発片１１１が動作される。
前記瞬間変位手段１２０の変位は、前記圧電素子１２１の逆圧電効果を利用したものであるので瞬間的な変位となり、戻り球制止弾発片１１１の動作も瞬間的な動作となる。
前記摺動ガイド部材１２６は、前記ハウジング部１２５の少し上の内レール４の外側面に取り付けられて、前記進退部材１２４の進退の姿勢を背面からガイドしている。進退部材１２４は、摺動ガイド部材１２６と前記ハウジング部１２５の切欠１２５ｃとで図面上における左右方向のブレが生じないように規制されている。
【００１６】
前記逆戻り検出手段１３０は、前記飛び出し口１４の位置に対応する外レール３の外向き段部３ａに設けられている。この逆戻り検出手段１３０は、本実施形態では、逆戻り検出スイッチとして構成しており、その検出スイッチ本体１３１が外レール３の外の枠ランプ１５内部に内蔵され（図５〜７参照）、検出先端部１３２が前記外レール３の外向き段部３ａから突出して配されている。
遊技球Ｑが逆戻りしてきて戻り球制止弾発片１１１に当たり、これを左方（図面上の反時計方向）に押すと、戻り球制止弾発片１１１の上端側が前記外向き段部３ａにまで変位して前記検出先端部１３２に当接する。これによって逆戻り検出手段１３０は遊技球Ｑの逆戻りを検出し、その検出信号は図示しないパチンコ機の制御部に送られ、これを受けて前記制御部は前記圧電素子１２１に対して図示しない昇圧回路を介して、電圧を印加させる。
【００１７】
上記した第１の実施形態の構成による作用を説明する。
図示しない発射装置から発射された遊技球Ｑは、誘導領域１３を通って飛び出し口１４から、弾性帯板で形成される戻り球制止弾発片１１１を僅かに変形させながら遊技領域２に飛び出す。
図５は遊技球が未だ逆戻り途上にある状態、即ち球戻り防止装置が遊技球Ｑの作用を何ら受けていない状態を示す。この状態では、揺動体１１０の基体部１１２の錘部１１２ｄの作用により、戻り球制止弾発片１１１が、前記外レール３の外向き段部３ａから離れた状態で、飛び出し口１４をほぼ閉止した状態にある。
遊技領域２に一旦飛び出した遊技球Ｑが釘１２等に当たった結果、再び飛び出し口１４に逆行すると、遊技球Ｑが戻り球制止弾発片１１１に当たってこれを後退方向（図面上で反時計方向）に回動させ、図２、図６に示すような状態となる。このとき戻り球制止弾発片１１１の先端部が逆戻り検出手段１３０の検出先端部１３２に当たって、スイッチをオンする。該検出手段１３０の検出信号は制御部に送信され、制御部は昇圧回路を介して電圧を圧電素子１２１に印加する。
圧電素子１２１は電圧の印加により、逆圧電効果により瞬間的に変形（延伸）して、伝達部材１２２をバネ１２３に抗して瞬時に上方へ変位させる。これにより進退部材１２４が上方へ進出し、揺動体１１０の基体部１１２の軸受部１１２ｃを、軸釘１１２ｅを中心として時計方向に瞬時に回転動作させる。これによって戻り球制止弾発片１１１が前方（図面上で時計方向）に瞬発的に動いて、遊技球Ｑを弾き返す（図３、図７）。これによって遊技球Ｑは遊技領域２の中央方向へ再び復帰する。
圧電素子１２１への電圧の印加が停止されると、圧電素子１２１が元の状態に戻り、バネ１２３の付勢力により伝達部材１２２が下方に変位し、進退部材１２４が下方に後退して元の位置に復帰する。よって戻り球制止弾発片１１１が錘部１１２ｄによって元の位置に復帰する（図５）。
【００１８】
第１の実施形態の球戻り防止装置１００を設けることによって、従来は入賞の期待が持てなかった戻り球に対して入賞の期待を遊技者に与えることができ、興趣の向上に資する。
更に詳述すると、従来の装置では、球の逆流を阻止された遊技球Ｑは球戻り防止装置の直下から図１のＤ領域へしか実質的に流下しなかった。そしてこのＤ領域に至る軌道においては、遊技球Ｑが重要な入賞口である始動入賞装置６へ入賞する可能性は極めて低い状態であった。
これに対して第１の実施形態の球戻り防止装置１００では、飛び出し口１４への逆行を阻止された遊技球Ｑは更に戻り球制止弾発片１１１により積極的に弾き返されることにより、弾き返された遊技球Ｑの軌道は図１のＡ領域或いはＢ領域からＣ領域へ流下する軌道となる。このため始動入賞装置６へ入賞する可能性が高くなり、そのような戻り球であっても遊技者に引き続き好ましい入賞の期待を抱かせることができるのである。
【００１９】
本発明の第２の実施形態を、図８〜図１２を参照して説明する。
図８は第２の実施形態に係るパチンコ遊技機の遊技盤の正面図、図９は球戻り防止装置の分解斜視図である。図１０〜図１２は遊技盤の球戻り防止装置付近の拡大図で、図１０は遊技球が逆戻り途上にある状態を示し、図１１は逆戻りしてきた遊技球を戻り球制止弾発片が制止した状態を示し、図１２は逆戻りしてきた遊技球を戻り球制止弾発片が弾き返した状態を示す。
なお第２の実施形態のパチンコ遊技機において、第１の実施形態のパチンコ遊技機における部材、要素と同一の機能を果たす部材、要素については、同一の符号を付して説明を省略する。
第２の実施形態においては、第１の実施形態の場合と同様に、球戻り防止装置２００が遊技領域２の左斜め上部の飛び出し口１４付近に配置される。
前記球戻り防止装置２００は、揺動体２１０、瞬間変位手段２２０、逆戻り検出手段２３０と、ストッパ部材２４０を有している。
【００２０】
前記揺動体２１０は、戻り球制止弾発片２１１と基体部２１２と瞬間変位手段２２０と逆戻り検出手段２３０とを有する。
前記戻り球制止弾発片２１１は第１の実施形態のパチンコ機における戻り球制止弾発片１１１と同じ構成である。
前記基体部２１２もほぼ第１の実施形態のパチンコ機における基体部１１２と同様で、前記戻り球制止弾発片２１１の取り付け姿勢を定めるガイド溝２１２ａと軸孔２１２ｂとを形成した軸受部２１２ｃと、基体部２１２に取り付けられた前記戻り球制止弾発片２１１を通常時において起立姿勢に維持するための錘部２１２ｄとを有する。そして前記軸受部２１２ｃの軸孔２１２ｂに、図４に示す軸釘１１２ｅと同様の軸釘が差し込まれて遊技盤１に固定されることで、該軸釘を中心に揺動体２１０が揺動可能に保持される。
前記瞬間変位手段２２０は、圧電素子２２１を有する点は上記第１の実施形態における瞬間変位手段１２０と同じである。しかし本第２の実施形態の場合は、平板状に形成された圧電素子２２１を前記ガイド溝２１２ａに一体固定することで、圧電素子２２１が直接的に前記戻り球制止弾発片２１１に当接するように構成している。第２の実施形態では、瞬間変位手段２２０は圧電素子２２１そのものである。
【００２１】
前記逆戻り検出手段２３０は第１の実施形態のパチンコ機における逆戻り検出手段１３０とその構成が同じで、スイッチ本体２３１、検出先端部２３２を有する。
【００２２】
前記ストッパ部材２４０は、戻り球制止弾発片２１１が飛び出し口１４に逆行してくる遊技球Ｑを受けて後退し、この戻り球制止弾発片２１１が外レール３の外向き段部３ａに設けられた逆戻り検出手段２３０の検出先端部２３２に当接する状態において、揺動体２１０の基体部２１２の錘部２１２ｄが該ストッパ部材２４０に当接して、それ以上の揺動を阻止するように配置構成される。
【００２３】
第２の実施形態の構成による作用を、主として図１０〜図１２を参照して説明する。
発射された遊技球Ｑは、誘導領域１３を通って飛び出し口１４から、弾性帯板で形成される戻り球制止弾発片２１１を僅かに変形させながら遊技領域２に飛び出す。
図１０は遊技球が未だ逆戻り途上にある状態、即ち球戻り防止装置２００が遊技球Ｑの作用を何ら受けていない状態を示す。この状態では錘部２１２ｄの作用により、戻り球制止弾発片２１１が、前記外レール３の外向き段部３ａから離れた状態で、飛び出し口１４をほぼ閉止した状態にある。またこの状態で、揺動体２１０の基体部２１２はストッパ部材２４０とは所定の間隙が確保されている。
遊技領域２に一旦飛び出した遊技球Ｑが再び飛び出し口１４に逆行すると、遊技球Ｑが戻り球制止弾発片２１１に当たってこれを後退方向（図面上で反時計方向）に回動させ、図１１に示すような状態となる。このとき戻り球制止弾発片２１１の先端部が逆戻り検出手段２３０の検出先端部２３２に当たって、スイッチをオンする。また揺動体２１０の基体部２１２の錘部２１２ｄはストッパ部材２４０により、それ以上の揺動を阻止される。
検出手段２３０の検出信号は制御部に送信され、制御部は昇圧回路を介して電圧を圧電素子２２１に印加する。
圧電素子２２１は電圧の印加により、逆圧電効果により瞬間的に変形（肉厚増加）し、戻り球制止弾発片２１１を直接的に前方（図面上で時計方向）に、瞬発的に動かす。これによって戻り球制止弾発片２１１は遊技球Ｑを弾き返す（図１２）。このときストッパ部材２４０は、圧電素子２２１が揺動体２１０の基体部２１２を前方（反時計方向）に動くのを阻止する。これによって戻り球制止弾発片２１１による遊技球Ｑの弾発が効果的に行われる。
その結果、第２の実施形態の球戻り防止装置２００においても、飛び出し口１４へ逆行してきた遊技球Ｑは戻り球制止弾発片２１１により、図８のＡ領域或いはＢ領域に弾き返され、従来のようにＤ領域には簡単に流下せず、むしろＣ領域へ流下する軌道となる可能性が高くなり、始動入賞装置６への入賞の可能性も高くなる。よって戻り球であっても、遊技者に引き続き好ましい入賞の期待を抱かせることが可能となるのである。
圧電素子２２１への電圧の印加が停止されると、圧電素子２２１が元の状態に戻り、戻り球制止弾発片２１１が元の位置に復帰する（図１０）。
【００２４】
第２の実施形態では、圧電素子２２１を揺動体２１０の基体部２１２の軸受部２１２Ｃのガイド溝２１２ａに設けたが、錘部２１２ｄのストッパ部材２４０に対向する面、ストッパ部材２４０の錘部２１２ｄに対向する面に設けてもよい。圧電素子２２１の逆圧電効果により、揺動体２１０が瞬発的に時計方向に変位することで、遊技球Ｑを遊技領域２の中央に向けて弾発することができる。
【００２５】
以上の第１、第２の実施形態では、瞬間変位手段１２０、２２０として圧電素子１２１、２２１を有するものを用いたが、圧電素子の代わりにソレノイド、その他の瞬間変位が可能な手段を用いることができる。このような構成も本発明の範囲内である。
また第１、第２の実施形態ではパチンコ遊技機としたが、本発明の遊技機はパチンコ遊技機の他、発射された遊技球が誘導領域を経て飛び出し口から遊技領域に飛び出し、その遊技球が遊技領域を流下することで遊技が構成される遊技機に対して適応する。
【図面の簡単な説明】
【００２６】
【図１】本発明の第１の実施形態に係るパチンコ遊技機の遊技盤の正面図である。
【図２】第１の実施形態に係るパチンコ遊技機の球戻り防止装置の全体を示す斜視図で、逆戻りしてきた遊技球を制止した状態を示す。
【図３】第１の実施形態に係るパチンコ遊技機の球戻り防止装置の全体を示す斜視図で、逆戻りしてきた遊技球を弾発した状態を示す。
【図４】第１の実施形態に係るパチンコ遊技機の球戻り防止装置の分解斜視図である。
【図５】第１の実施形態に係るパチンコ遊技機の遊技盤の球戻り防止装置付近の拡大図で、遊技球が逆戻り途上にある状態を示す。
【図６】第１の実施形態に係るパチンコ遊技機の遊技盤の球戻り防止装置付近の拡大図で、逆戻りしてきた遊技球を戻り球制止弾発片が制止した状態を示す。
【図７】第１の実施形態に係るパチンコ遊技機の遊技盤の球戻り防止装置付近の拡大図で、逆戻りしてきた遊技球を戻り球制止弾発片が弾き返した状態を示す。
【図８】本発明の第２の実施形態に係るパチンコ遊技機の遊技盤の正面図である。
【図９】第２の実施形態に係るパチンコ遊技機の球戻り防止装置の分解斜視図である。
【図１０】第２の実施形態に係るパチンコ遊技機の遊技盤の球戻り防止装置付近の拡大図で、遊技球が逆戻り途上にある状態を示す。
【図１１】第２の実施形態に係るパチンコ遊技機の遊技盤の球戻り防止装置付近の拡大図で、逆戻りしてきた遊技球を戻り球制止弾発片が制止した状態を示す。
【図１２】第２の実施形態に係るパチンコ遊技機の遊技盤の球戻り防止装置付近の拡大図で、逆戻りしてきた遊技球を戻り球制止弾発片が弾き返した状態を示す。
【符号の説明】
【００２７】
１        遊技盤
２        遊技領域
３        外レール
３ａ      外向き段部
４        内レール
５        センターケース
６        始動入賞装置
７        ゲート
８        普通入賞装置
９        大入賞装置
１０      アウト口
１１      風車
１２      釘
１３      誘導領域
１４      飛び出し口
１５      枠ランプ
１００    球戻り防止装置
１１０    揺動体
１１１    戻り球制止弾発片
１１２    基体部
１１２ａ  ガイド溝
１１２ｂ  軸孔
１１２ｃ  軸受部
１１２ｄ  錘部
１１２ｅ  軸釘
１２０    瞬間変位手段
１２１    圧電素子
１２２    伝達部材
１２２ａ  基部
１２２ｂ  突出軸部
１２３    バネ
１２４    進退部材
１２４ａ  固定用基部
１２５    ハウジング部
１２５ａ  フランジ
１２５ｂ  本体
１２５ｃ  切欠
１２５ｄ  カバー
１２６    摺動ガイド部材
１３０    逆戻り検出手段
１３１    スイッチ本体
１３２    検出先端部
２００    球戻り防止装置
２１０    揺動体
２１１    戻り球制止弾発片
２１２    基体部
２１２ａ  ガイド溝
２１２ｂ  軸孔
２１２ｃ  軸受部
２１２ｄ  錘部
２２０    瞬間変位手段
２２１    圧電素子
２３０    逆戻り検出手段
２３１    スイッチ本体
２３２    検出先端部
２４０    ストッパ部材
Ａ、Ｂ、Ｃ、Ｄ  領域
Ｑ        遊技球
【図１】
2006136391.tif 000003
【図２】
2006136391.tif 000004
【図３】
2006136391.tif 000005
【図４】
2006136391.tif 000006
【図５】
2006136391.tif 000007
【図６】
2006136391.tif 000008
【図７】
2006136391.tif 000009
【図８】
2006136391.tif 000010
【図９】
2006136391.tif 000011
【図１０】
2006136391.tif 000012
【図１１】
2006136391.tif 000013
【図１２】
2006136391.tif 000014